(57)【要約】      （修正有）【課題】プラテンガラス上に原稿が載置されていない状態での無駄な原稿サイズ検出動作を抑え、無駄な電力消費や原稿照明部の消耗を抑える画像読取装置を提供する。【解決手段】画像読取装置のＣＰＵは、第１開閉検知センサ107によりプラテンカバーの閉じ始めが検知された場合（S801でYESの場合）、プラテンガラス118上に原稿が載置されているか否かを判定し（S802〜S804）、プラテンガラス118上に原稿が載置されていないと判定された場合（S804でNOの場合）、原稿サイズの検出動作を禁止し（S805）、プラテンガラス118上に原稿が載置されていると判定された場合（S804でYESの場合）、原稿サイズの検出動作を許可する（S807〜S812）。【選択図】図８
2018170669.tif 000002
【特許請求の範囲】
【請求項１】
原稿を載置するための原稿台と、前記原稿台に原稿を押圧する開閉可能な押圧手段と、前記原稿台に載置される原稿に対して光を照射する照明手段と、前記照明手段を移動させる移動手段と、前記原稿台に載置される原稿からの反射光を入力して画像を読み取る読取手段と、を有する画像読取装置であって、
前記照明手段を点灯し、前記読取手段での読み取り結果に基づき前記原稿台に載置されている原稿のサイズを検出する検出手段と、
前記押圧手段の開閉状態を検知する検知手段と、
前記検知手段により前記押圧手段の所定の開閉状態が検知された場合に、前記原稿台に原稿が載置されているか否かを判定する判定手段と、
前記判定手段により前記原稿台に原稿が載置されていないと判定された場合には、前記検出手段による原稿サイズの検出を禁止し、前記判定手段により前記原稿台に原稿が載置されていると判定された場合には、前記検出手段による原稿サイズの検出を許可する制御する制御手段と、
を有することを特徴とする画像読取装置。
【請求項２】
前記照明手段は、前記照明手段の移動方向に直交する方向に並ぶ複数の光源を有し、一部の光源を他の光源とは独立に点灯可能であり、
前記判定手段は、前記一部の光源を点灯し、前記読取手段での読み取り結果に基づき前記原稿台に原稿が載置されているか否かを判定することを特徴とする請求項１に記載の画像読取装置。
【請求項３】
前記一部の光源は、前記原稿台に原稿を載置する場合に基準となる位置の近傍に光を照射可能な光源であることを特徴とする請求項２に記載の画像読取装置。
【請求項４】
前記判定手段により点灯される前記一部の光源の光量は、前記照明手段の全体を１つの光源として点灯する場合の前記それぞれの光源の光量よりも小さいことを特徴とする請求項２又は３に記載の画像読取装置。
【請求項５】
前記照明手段とは異なる光源で前記原稿台の所定の位置に対して光を照射可能に設けられる第２照明手段を有し、
前記判定手段は、前記第２照明手段を点灯し、前記読取手段での読み取り結果に基づき前記原稿台に原稿が載置されているか否かを判定することを特徴とする請求項１に記載の画像読取装置。
【請求項６】
前記所定の位置は、前記原稿台に原稿を載置する場合に基準となる位置の近傍であることを特徴とする請求項５に記載の画像読取装置。
【請求項７】
前記判定手段は、前記読取手段の読み取り結果が閾値を超えていない場合に、前記原稿台に原稿が載置されていないと判定することを特徴とする請求項１〜６のいずれか１項に記載の画像読取装置。
【請求項８】
前記原稿台に載置される原稿を検出するための原稿検出手段を有し、
前記判定手段は、前記原稿検出手段の検出結果に基づいて前記原稿台に原稿が載置されているか否かを判定することを特徴とする請求項１に記載の画像読取装置。
【請求項９】
前記原稿検出手段は、前記原稿台に原稿を載置する場合に基準となる位置の近傍にある原稿を検出可能に設けられることを特徴とする請求項８に記載の画像読取装置。
【請求項１０】
前記所定の開閉状態は、前記押圧手段の閉じ始めの状態であることを特徴とする請求項１〜９のいずれか１項に記載の画像読取装置。
【請求項１１】
原稿を載置するための原稿台と、前記原稿台に原稿を押圧する開閉可能な押圧手段と、前記原稿台に載置される原稿に対して光を照射する照明手段と、前記照明手段を移動させる移動手段と、前記原稿台に載置される原稿からの反射光を入力して画像を読み取る読取手段と、前記照明手段を点灯し、前記読取手段での読み取り結果に基づき前記原稿台に載置されている原稿のサイズを検出する検出手段と、を有する画像読取装置の制御方法であって、
前記押圧手段の所定の開閉状態を検知する検知ステップと、
前記押圧手段の所定の開閉状態が検知された場合に、前記原稿台に原稿が載置されているか否かを判定する判定ステップと、
前記判定ステップで前記原稿台に原稿が載置されていないと判定された場合には、前記検出手段による原稿サイズの検出を禁止し、前記判定ステップで前記原稿台に原稿が載置されていると判定された場合には、前記検出手段による原稿サイズの検出を許可する許可する制御するステップと、
を有することを特徴とする画像読取装置の制御方法。
【請求項１２】
コンピュータを、請求項１１に記載の制御方法を実行させるためのプログラム。
【請求項１３】
原稿を載置するための原稿台と、
前記原稿台に原稿を押圧する開閉可能な押圧手段と、
所定の方向に並ぶ複数の光源を有し、一部の光源を他の光源とは独立に点灯可能であって、前記原稿台に載置される原稿に対して光を照射する照明手段と、
前記照明手段を前記所定の方向に直交する方向に移動させる移動手段と、
前記原稿台に載置される原稿からの反射光を入力して画像を読み取る読取手段と、
前記押圧手段の開閉状態を検知する検知手段と、
前記検知手段により前記押圧手段の所定の開閉状態が検知された場合に、前記一部の光源を点灯し、前記原稿台に原稿が載置されているか否かを判定する判定手段と、
を有することを特徴とする画像読取装置。
【請求項１４】
前記一部の光源は、前記原稿台に原稿を載置する場合に基準となる位置の近傍に光を照射可能な光源であることを特徴とする請求項１３に記載の画像読取装置。
【請求項１５】
前記判定手段により点灯される前記一部の光源の光量は、前記照明手段の全体を１つの光源として点灯する場合の前記それぞれの光源の光量よりも小さいことを特徴とする請求項１３又は１４に記載の画像読取装置。
【発明の詳細な説明】
【技術分野】
【０００１】
本発明は、原稿から画像を読み取る画像読取装置、その制御方法及びプログラムに関する。
【背景技術】
【０００２】
特許文献１には、圧板等の開閉状態を検知し、圧板等の閉じ初めを検知した場合に原稿照明部が点灯して原稿サイズ検出を開始し、圧板等が閉じられた場合に原稿サイズ検出を終了し、原稿サイズを確定する画像形成装置が提案されている。
【先行技術文献】
【特許文献】
【０００３】
【特許文献１】特開２００１−３２４７７０号公報
【発明の概要】
【発明が解決しようとする課題】
【０００４】
しかし、特許文献１の技術では、原稿サイズ検出を圧板等の開閉状態を検知して行う構成のため、プラテンガラス上に原稿が載置されていない状態でも、圧板等の開閉が行われると、原稿照明部を点灯して原稿サイズ検出を実行していた。例えば、コピー終了後に、オペレータがプラテンガラス上の原稿を回収し、次の原稿を載置することなく圧板等を閉じただけで、コピーをする訳でもないのに、無駄に原稿照明部が点灯されて原稿サイズ検出が実行されていた。このため、無駄な原稿照明部の点灯により、電力が無駄に消費されていた。また、無駄な原稿照明部の点灯により、原稿照明部の寿命を早めてしまう可能性もあった。
【０００５】
本発明は、上記の問題点を解決するためになされたものである。本発明の目的は、プラテンガラス上に原稿が載置されていない状態での無駄な原稿サイズ検出動作を抑え、無駄な電力消費や原稿照明部の消耗を抑えることができる仕組みを提供することである。
【課題を解決するための手段】
【０００６】
本発明は、原稿を載置するための原稿台と、前記原稿台に原稿を押圧する開閉可能な押圧手段と、前記原稿台に載置される原稿に対して光を照射する照明手段と、前記照明手段を移動させる移動手段と、前記原稿台に載置される原稿からの反射光を入力して画像を読み取る読取手段と、を有する画像読取装置であって、前記照明手段を点灯し、前記読取手段での読み取り結果に基づき前記原稿台に載置されている原稿のサイズを検出する検出手段と、前記押圧手段の開閉状態を検知する検知手段と、前記検知手段により前記押圧手段の所定の開閉状態が検知された場合に、前記原稿台に原稿が載置されているか否かを判定する判定手段と、前記判定手段により前記原稿台に原稿が載置されていないと判定された場合には、前記検出手段による原稿サイズの検出を禁止し、前記判定手段により前記原稿台に原稿が載置されていると判定された場合には、前記検出手段による原稿サイズの検出を許可する制御する制御手段と、を有することを特徴とする。
【発明の効果】
【０００７】
本発明によれば、プラテンガラス上に原稿が載置されていない状態での無駄な原稿サイズ検出動作を抑えることができる。これにより、無駄な電力消費や原稿照明部の消耗を抑えることが可能となる。
【図面の簡単な説明】
【０００８】
【図１】本実施例の画像読取装置の構成を説明するための図
【図２】従来の画像読取装置における課題を説明するための図
【図３】実施例１の画像読取装置の制御構成を説明するためのブロック図
【図４】実施例１の主走査原稿サイズ検出制御を説明するための図
【図５】実施例１の主走査原稿サイズ検出制御を説明するための図
【図６】原稿サイズ検出制御の概要を説明するための図
【図７】実施例１の原稿照明部の構成と制御を説明するための図
【図８】実施例１の主走査原稿サイズ検出制御の一例を説明するフローチャート
【図９】キャリッジの構成の一例を説明するための図
【図１０】実施例２の主走査原稿サイズ検出制御の一例を説明するフローチャート
【図１１】実施例３の主走査原稿サイズ検出制御の一例を説明するフローチャート
【図１２】実施例４の主走査原稿サイズ検出制御の一例を説明するフローチャート
【図１３】実施例４における原稿検出部の制御構成の一例を説明するための図
【図１４】実施例２の画像読取装置の制御構成を説明するためのブロック図
【図１５】実施例３の画像読取装置の制御構成を説明するためのブロック図
【発明を実施するための形態】
【０００９】
以下、本発明を実施するための形態について図面を用いて説明する。
【実施例１】
【００１０】
図１は、本発明の一実施例を示す画像読取装置101の構成を説明するための図である。
図１において、画像読取装置101は、原稿から画像を読み取る原稿読取装置である。プラテンガラス（原稿台ガラス）118は、原稿112を載置する場所である。プラテンカバー（圧板）102は、プラテンガラス118上に載置された原稿112をプラテンガラス118に押し付けるためのものである。これにより、原稿112がプラテンガラス118に対して浮き上がらないようにすることができる。プラテンカバー102は、プラテンガラス118に対して開閉可能に構成されている。例えば、オペレータは、プラテンガラス118上に原稿112を載置する際や、プラテンガラス118上に載置された原稿112をプラテンガラス118上から取り除く際に、プラテンカバー102の開閉操作を行う。
【００１１】
本実施例では、画像読取装置101がプラテンカバー102を備える構成例について説明する。しかし、画像読取装置101は、プラテンカバー102の代わりに原稿自動搬送装置（ＡＤＦ；Auto Document Feeder）を備える構成であってもよい。ＡＤＦは、プラテンカバー102と同様に、プラテンガラス118上に載置された原稿112をプラテンガラス118に押し付けることができる。プラテンカバー102とＡＤＦのいずれを備える構成であっても、プラテンガラス118上に載置された原稿の原稿サイズ検出制御については同様である。なお、流し読み用ガラス121は、ＡＤＦを搭載した際に用いる原稿流し読みを行うためのガラスである。
【００１２】
プラテンガラス118上には、原稿112を載置するための目印として指標板119が設けられている。ユーザは、指標板119に当接するように原稿を載置する。なお、図示しないが、指標板119には、一般的な用紙サイズ（例えばB5，A4，B4，A3等）のスケールが印字されている。また、プラテンガラス118には、画像読取装置101における白レベルの基準となる白色板120が予め貼り付けられている。
【００１３】
画像読取装置101は、プラテンガラス118上に載置された原稿112を、画像走査部（以下「キャリッジ」）109を一定速度で移動制御しながら走査する。キャリッジ109の両端（図１の奥側と手前側）は詳細には記載していないがワイヤー115に固定されている。ワイヤー115は、ワイヤー115を巻き取る糸巻が付いた駆動軸114に巻き付けられている。この駆動軸114は、図示しないが、動力を伝えるモータ113の軸に圧入された不図示のプーリー（ギア）と振動を吸収するためのタイミングベルトで連結されている。また、図示しないが、駆動軸114のモータ113に近い端部は、ギア加工されており、タイミングベルトが掛かり、動力の伝達を損なわない構成となっている。
【００１４】
このように、モータ113の回転制御によって、ワイヤー115が図中左右の駆動軸114の糸巻に巻かれることで、モータ113の回転方向に応じて、キャリッジ109がレール122上を移動する。キャリッジ109は、フラグ116を付帯しており、移動制御に伴いフォトインタラプタを用いたホームポジションセンサ（以下「ＨＰセンサ」）117を該フラグ116で遮光することで位置制御を可能にしている。
【００１５】
なお、モータ113はステッピングモータを用いることで１パルス当たりの移動量が決定する。例えば、ギア比と駆動軸の糸巻の径とワイヤー径から１パルス当たりの移動量を算出可能である。そのため、ＨＰセンサ117の検出信号を基に、モータ113を駆動する制御パルス数でキャリッジ109の移動距離を算出可能である。なお、キャリッジ109の構成要素の詳細は後述する図３で説明する。
【００１６】
第１サイズ検出センサ110、第２サイズ検出センサ111は、プラテンガラス118上に載置された原稿112の副走査方向の原稿サイズを検知するためのものである。なお、副走査方向の原稿サイズの検知方法については後述する。
【００１７】
次に、プラテンカバー102の開閉制御について説明する。
プラテンカバー102は、プラテンガラス118上に載置された原稿112が浮き上がらないように一定の圧力を掛けて原稿112をプラテンガラス118に押し付ける働きを持っている。そのため、所定のクッション性（弾力性）を持たせた部材と白色のモールド板で形成した原稿押圧板103を付帯している。原稿押圧板103は、原稿側の面が白色板となっている。
【００１８】
プラテンカバー102はプラテンガラス118に対して原稿112を載置、回収する際に開閉操作が行われる。プラテンカバー102は、図１中点線で示すような、プラテンカバー102の閉じ始めを検出する位置104、プラテンカバー102が閉じた状態を検出する位置105に示すように回動可能に構成されている。
【００１９】
第１開閉検知センサ107と第２開閉検知センサ108は、プラテンカバー102の開閉状態を検知するためのものである。プラテンカバー102が完全に開いている状態では、図中（ａ）に示すように、第１開閉検知センサ107と第２開閉検知センサ108の双方が遮光されていない状態である。また、閉じ始めの位置104では、（ｂ）に示すように、プラテンカバー102の回動状態によってフラグ106が押し込まれ、第１開閉検知センサ107がフラグ106で遮光され、且つ、第２開閉検知センサ108が遮光されていない状態である。また、閉じた位置105では、（ｃ）のように、プラテンカバー102の回動状態によって、さらにフラグ106が押し込まれ、第１開閉検知センサ107と第２開閉検知センサ108の双方がフラグ106で遮光された状態である。
【００２０】
従来の画像読取装置の原稿主走査サイズ検出制御では、プラテンカバー102が位置104に到達したことを、第１開閉検知センサ107により検出し、この検出をトリガとして、後述する原稿照明部306の点灯を制御していた。原稿照明部306が点灯されると、123で示すように、原稿112で覆われていない部分に、原稿照明部306の照射光が漏れ出る。以下、図２を用いて、従来の画像読取装置における課題について説明する。
【００２１】
図２は、従来の画像読取装置における課題を説明するための図である。なお、図１と同一のものには同一の符号を付してある。
図２では、プラテンガラス118上に原稿112が載置されていない状態を示している。
【００２２】
原稿主走査サイズ検出機能を搭載している従来の画像読取装置では、プラテンカバー102を閉じる操作を行うと、原稿112の有無に関係なく、原稿照明部が点灯され、201のように、主走査全域が原稿照明部306により照射される。すなわち、従来の画像読取装置では、プラテンガラス118上に原稿112が載置されている、載置されていないに関わらず、プラテンカバー102若しくはＡＤＦを閉じる動作をトリガとして、原稿照明部306の点灯及び主走査原稿サイズ検出が実行されていた。例えば、コピー終了後にプラテンガラス118上に載置されていた原稿112を回収した後に、次のコピーをとる意思が無いにも関わらず、プラテンカバー102若しくはＡＤＦを閉じる際に無意味に原稿照明部306が点灯制御されていた。このため、従来の画像読取装置では、電力を無駄に消費し、また原稿照明部の寿命を早めてしまう可能性もあった。
【００２３】
図３は、実施例１の画像読取装置101の制御構成を説明するためのブロック図である。
図３において、制御基板312は、画像読取装置101の駆動や画像処理を行うためのものである。制御基板312には、画像処理部316、中央演算装置（以下「ＣＰＵ」）301、ＲＯＭ／ＲＡＭを合わせて記載したメモリ302等が搭載されている。ＣＰＵ301は、メモリ302に格納されたプログラムを読出して実行することにより、画像読取装置101を制御する。ＣＰＵ301は、第１開閉検知センサ107、第２開閉検知センサ108の検出結果に応じて、点灯制御回路303を用いて原稿照明部306を構成する第１原稿照明部304及び第２原稿照明部305の点灯制御を行う。
【００２４】
原稿照明部306は、キャリッジ109の移動方向に直交する方向に並ぶ複数のＬＥＤアレイブロックにより構成される（詳細は図７に示す）。第１原稿照明部304は、原稿照明部306を構成する複数のＬＥＤアレイブロックの内の１つのＬＥＤアレイブロックを独立制御可能とした構成である。また、第２原稿照明部305は、原稿照明部306を構成する複数のＬＥＤアレイブロックの内の第１原稿照明部304以外のＬＥＤアレイブロックを独立制御可能（独立に点灯可能）とした構成である。この第１原稿照明部304と第２原稿照明部305を１つの線光源としたものが原稿照明部306であり、実際には１つの光源として形成されている。
【００２５】
この原稿照明部306を点灯することによって原稿112に照射された光の反射光が光電変換部307に入力される。光電変換部307としては、一般的には、縮小光学系で用いられるＣＣＤ、ＣＭＯＳラインセンサ、或いは、等倍光学系で用いられるＣＩＳ等が知られている。なお、ＣＣＤはcharge-coupled deviceを示す。ＣＭＯＳはcomplementary metal oxide semiconductorを示す。ＣＩＳはcontact image sensorを示す。本実施例では、ＣＣＤを想定した説明を行うが、ＣＭＯＳ或いはＣＩＳ等でもよい。
【００２６】
また、近年のラインセンサには、Ｒ，Ｇ，Ｂのカラー走査用のラインセンサと高速読取に対応したＢＫ（白黒）センサの４ラインで構成されるセンサがある。図中では説明していないが、光電変換部307も４ラインセンサ構成として説明する。
【００２７】
ＡＦＥ（ANALOG FRONT END）309は、Ｓ／Ｈ回路（サンプルホールド回路）310と、Ａ／Ｄ変換器311を内蔵している。Ｓ／Ｈ回路310は、ＣＣＤのアナログ出力信号を一定間隔でサンプリングする。Ａ／Ｄ変換器311は、Ｓ／Ｈされたデータをディジタル信号に変換する。なお、光電変換部307、ＡＦＥ309は、基板308に設けられる。
【００２８】
以上説明した点灯制御回路303からＡＦＥ309まではキャリッジ109に含まれる。キャリッジ109は、モータ113によって等速で移動制御され原稿走査を行う。原稿走査データは、Ａ／Ｄ変換器311によってＶＩＤＥＯ信号に変換されケーブル等の伝送手段を介して制御基板312に送られる。
【００２９】
制御基板312の入り口のブロックは、シェーディング補正回路313である。シェーディング補正回路313は、入力されたＶＩＤＥＯ信号に対し、原稿照明部306の点灯制御時の光量の配光斑や光電変換部307の画素毎の感度バラツキ、縮小光学系の光学特性の影響を補正する。シェーディング補正回路313は、上述した白色板（シェーディング板とも呼ぶ）120を走査した時の画像データを基に算出した補正係数をシェーディングメモリ314に記録し、走査中の原稿画像（ＶＩＤＥＯ信号）に補正を施す。
【００３０】
一般的に、シェーディング補正は以下の処理を実行する。
シェーディング補正回路313は、キャリッジ109によって読み取られた、主走査方向に濃度が均一である白色板120のイメージデータを基にして、シェーディング補正係数を算出する。さらに、シェーディング補正回路313は、シェーディング補正係数を用いて、下記の（式１）に基づきシェーディング補正を行う。
【００３１】
【数１】
2018170669.tif 000003
【００３２】
（式１）において、Ｄｉｎ（ｎ）は原稿を読み取って得られたデータ（被シェーディング補正データ）を示す。Ｄｗｂ（ｎ）は白色板120読み取りデータを示す。Ｋは目標濃度設定係数を示す。Ｄｏｕｔ（ｎ）はシェーディング補正後の原稿データを示す。ｎは主走査画素（位置）を示す。また、Ｋ／Ｄｗｂ（ｎ）がシェーディング補正係数である。
【００３３】
（式１）が示すように、シェーディング補正は、原稿走査時の原稿照明部306の光量において実行する補正である。このため、原稿走査時と異なる原稿照明光量で原稿を走査した場合には、（式１）で求めた結果をそのまま使用しても補正処理は不十分なものとなってしまう。
【００３４】
本実施例の画像読取装置101では、プラテンガラス118上に載置される原稿112を検出する際に原稿照明部306を点灯して読み取りを行う（詳細は後述する）。ただし、原稿112を検出する際の光量は、原稿走査時の原稿照明部306の光量と同じである必要はない。このため、本実施例の画像読取装置101では、プラテンガラス118上の載置原稿112を検出する際には、シェーディング補正を行わない処理を行う。以下、この処理について説明する。画像読取装置101では、原稿の有無を検出する際には、第１開閉検知センサ107がフラグ106で遮光状態となったことを受けて、第１原稿照明部304を点灯制御する。そして、光電変換部307から出力されるアナログ出力信号をＡＦＥ309内部にて、Ｓ／Ｈ回路310でサンプリングする。さらに、ＡＦＥ309内部のＡ／Ｄ変換器311によってディジタルデータに変換された走査結果を、ケーブル等によって制御基板312へ伝送する。
【００３５】
制御基板312へ伝送されたディジタルデータ（すなわちビデオ信号）は、画像処理部316に送られる。このディジタルデータは、補正処理をスルーに設定されたシェーディング補正回路313の後段の画像データサンプリング回路315に入力される。画像データサンプリング回路315は、このディジタルデータに対して、所定回数分、加算平均制御を行い、シェーディング補正レスでも検出可能な予め決められた所定の閾値と比較し、該比較結果を一時的にメモリ302に記憶させる。
【００３６】
ＣＰＵ301は、上述のように、画像データサンプリング回路315でサンプリングしたデータが、所望の閾値より大きい結果であれば、プラテンガラス118上に原稿112が載置されていると判定する。また、ＣＰＵ301は、所望の閾値よりも小さい結果であれば、プラテンカバー102の閉じ始めを検出した時点で、プラテンガラス118上に原稿112が載置されていない状態であると判定する。
【００３７】
なお、矢印317以降の画像処理回路は、流し読みスジ補正回路、主走査色ずれ補正回路、ＭＴＦ補正回路、Ｓ／Ｎ補正処理回路、下地飛ばし回路等の画像処理回路であるが、ここでは省略する。
【００３８】
以下、図４、図５を用いて、主走査原稿サイズ検出制御について詳細に説明する。
図４、図５は、実施例１の主走査原稿サイズ検出制御を説明するための図である。
【００３９】
図４は、プラテンガラス118上に原稿112が載置されている状態を示している。
まず、図４を用いて、プラテンガラス118上に原稿112が載置されている状態の動作について説明する。
プラテンカバー102が閉じられてきて、第１開閉検知センサ107がフラグ106によって遮光された時、ＣＰＵ301は、図４（ａ）に示すように、第１原稿照明部304を点灯制御する。このとき、原稿112が載置されているため、キャリッジ109によって原稿反射光を走査でき、ＣＰＵ301は原稿が載置されていることを確認できる。
【００４０】
そして刻々とプラテンカバー102の開閉角度が小さくなる中、ＣＰＵ301は、図４（ｂ）に示すように、途中から第１原稿照明部304と第２原稿照明部305の両方で構成される原稿照明部306を点灯制御し、原稿主走査幅の１回目の検出制御を実行する。ただし、原稿照明部306の点灯制御時間は特に規定しない。例えば、光電変換部307の主走査複数ライン分の走査時間、若しくは、原稿主走査サイズ検出制御が終了するまでとする。なお、ＣＰＵ301は、原稿照明部306の点灯を一旦消灯制御とした場合も、プラテンカバー102が閉じた状態を第２開閉検知センサ108の検出結果から検出すると、再度、原稿照明部306の点灯制御を行い、原稿主走査幅の２回目の検出制御を実行する。
【００４１】
なお、画像読取装置101は、画像読取装置101を制御する際のユーザーインターフェイスである操作部403を備えている。操作部403は、タッチパネル付きの表示パネル404、テンキー405、スタートボタン406等を備える。表示パネル404は、画像読取装置101の設定内容、動作モード等の表示や、ユーザ操作を受け付ける。また、テンキー405は、数値入力を行うためのものである。スタートボタン406は、原稿の読み取りを開始するためのボタンである。
【００４２】
図５は、プラテンガラス118上に原稿112が載置されていない状態を示している。
以下、プラテンガラス118上に原稿112が載置されていない状態の動作を説明する。
【００４３】
プラテンカバー102が閉じられてきて、図５（ａ）に示すように、第１開閉検知センサ107がフラグ106によって遮光されると、ＣＰＵ301は、第１原稿照明部304を点灯制御する。このとき、原稿112が載置されていないため、キャリッジ109は原稿反射光を走査することができず、ＣＰＵ301は原稿が載置されていないことを確認できる。原稿112が載置されていないため、ＣＰＵ301は、図５（ｂ）に示すように、以降のプラテンカバー102の閉制御中の原稿照明部306の点灯を禁止制御し、原稿主走査サイズ検出も行わない。
【００４４】
図６は、原稿サイズ検出制御の概要を説明するための図である。
ＣＰＵ301は、第１開閉検知センサ107によるプラテンカバー102の閉じ始めの検知結果に基づいて、キャリッジ109を移動制御し、プラテンガラス118上にセットされた原稿112を走査するように制御する。ＣＰＵ301は、キャリッジ109を、原稿主走査幅を読み取ることができる位置（原稿主走査サイズ検出位置）に移動制御する。例えば、プラテンガラス118にセットされた原稿112をキャリッジ109で走査する際に原稿を初めに読み取る原稿先端位置を画先とした場合、画先から20ｍｍ〜40ｍｍ程度走査方向（右側）に進んだ位置を、原稿主走査サイズ検出位置とする。
【００４５】
この原稿主走査サイズ検出位置には、原稿主走査サイズの検出ポイント603〜611が設けられている。ＣＰＵ301は、実際に検出結果を判定する原稿走査データとして、検出ポイント603〜611の原稿走査データを用いる。この際、ＣＰＵ301は、光電変換部307で変換された３色（Red，Green，Blue）分の走査データを用いるのではなく、Green出力だけ参照するか、白黒用のカラーフィルタ未搭載のＢＫ出力を用いて原稿の有無を判定する。
【００４６】
図６では画像読取装置101を真上から見下ろした際のプラテンガラス118を示している。指標板119は、プラテンガラス118の原稿載置面上に貼り付けられ、原稿突き当て基準、及び載置原稿のサイズ指標が印字されている。以下、原稿主走査サイズの検出ポイントの説明を行なう。
【００４７】
検出ポイント603は、原稿突き当て位置に配置された原稿の有無を検出するポイントである。検出ポイント604〜611は、原稿突き当て基準位置614に合わせてセットされた原稿に対して、各原稿サイズの原稿端部内側3mm〜5mmに設定された検出ポイントである。なお、原稿突き当て基準位置614は、プラテンガラス118に原稿を載置する場合に基準となる位置である。
【００４８】
検出ポイント604〜611は、下記のように用紙サイズに対応する。
検出ポイント604は「STMT_R」、検出ポイント605は「A5_R」検出ポイント606は「B5_R」、検出ポイント607は「A5/A4_R」に対応する。また、検出ポイント608は「STMT/LETTER_R/LEGAL」、検出ポイント609は「B5/B4」、検出ポイント610は「LETTER/LEDGER」、検出ポイント611は「A4/A3」に対応する。
【００４９】
各検出ポイントは、６４画素もしくは３２画素程度の検出幅を有する。読取解像度600dpiの画像読取装置101であれば、各検出ポイントは、例えばプラテンガラス118上で約42.3um×64=2.7mm or 42.3um×32=1.35mmのサイズとなる。
【００５０】
ＣＰＵ301は、各検出ポイントの走査レベルを、画像データサンプリング回路315を用いて算出し、各検出ポイントの走査レベルと予め決めている閾値との上下関係から原稿主走査幅を検出する。詳細は図７で説明する。
【００５１】
次に、副走査方向の原稿サイズの検知方法について説明する。
第１サイズ検出センサ110、第２サイズ検出センサ111は、主走査幅が同じで、副走査方向の長さが異なる原稿サイズを切り分けることが可能な位置に配置されている。第１サイズ検出センサ110は、A5とA4_R、B5とB4、A4とA3を検出可能な位置に配置されている。また、第２サイズ検出センサ111は、STMTとLETTER_RとLEGAL、LETTERとLEDGERを検出可能な位置に配置されている。
【００５２】
次に、図７を用いて、原稿照明部306の構成と制御の説明を行う。
図７は、原稿照明部306の構成と制御を説明するための図である。
図７（ａ）に示すように、原稿照明部306は、ＬＥＤアレイブロック702を複数シリアルに接続して形成した、原稿主走査方向を照明可能な線光源である。原稿照明部306の点灯制御及び光量制御は、点灯制御回路303を介してＣＰＵ301が行う。
【００５３】
本実施例では、１ラインで構成された原稿照明部306は、端部に配置されたＬＥＤアレイブロック702と、残りのＬＥＤアレイブロックで構成されるＬＥＤアレイブロック群704が独立して点灯制御可能に構成されている。ＬＥＤアレイブロック702は、第１原稿照明部304を構成する。ＬＥＤアレイブロック群704は、第２原稿照明部305を構成する。
【００５４】
原稿照明部306は、一列に並べられた複数のＬＥＤアレイブロックの各ブロックを独立点灯制御可能に結線したものである。点灯制御回路303は、原稿照明部306のＬＥＤアレイブロック毎に制御回路701を備え、原稿照明部306の第１原稿照明部304と第２原稿照明部305を独立に点灯制御可能なものである。
【００５５】
原稿照明部306の点灯制御は２通りある。１つ目の制御は、第１開閉検知センサ107がフラグ106によって遮光された時、端部に位置するＬＥＤアレイブロック702（第１原稿照明部304）を点灯制御して、プラテンガラス118上の原稿112の有無を検出する制御である。この時、原稿の有無の検出位置は、プラテンガラス118上に設けられた指標板119に当接する原稿の近傍となる。すなわち、ＬＥＤアレイブロック702は、プラテンガラス118に原稿を載置する場合に基準となる位置の近傍に光を照射可能である。
【００５６】
図７（ｂ）は、上記１つ目の制御における各主走査位置の走査レベルの一例を示す。横軸は主走査位置を示し、縦軸は走査レベルを示す。すなわち、左側が指標板119に当接する側を示す。
【００５７】
プラテンガラス118上に白紙原稿112が載置されていると、図７（ｂ）に示すように、上記１つ目の制御における走査レベル705の最大レベルは、原稿判定閾値709より高くなる。なお、原稿の有無の検出時は、原稿走査時に比べて光量を下げているので、１つ目の制御における走査レベル705の最大レベルは、白レベル708より低くなる。
【００５８】
図７（ｃ）は、原稿照明部306を構成する全てのＬＥＤアレイブロック702及び704を消灯した場合の走査レベル707の一例を示す。図７（ｂ）と同様に、横軸は主走査位置、縦軸は走査レベルを示す。
【００５９】
２つ目の制御は、原稿サイズ検出時もしくは原稿走査制御時に、原稿照明部306を構成する全てのＬＥＤアレイブロック702及び704を点灯する制御である。
図７（ｄ）は、上記２つ目の制御における走査レベルの一例を示す。図７（ｂ）と同様に、横軸は主走査位置、縦軸は走査レベルを示す。
プラテンガラス118上に白紙原稿112が載置されていると、上記２つ目の制御における走査レベル707の最大レベルは、図７（ｄ）に示すようになる。
【００６０】
１つ目の制御は、プラテンガラス118上に載置された原稿112の有無を検出することが目的である。そのため、１つ目の制御では、白レベルを正しく読み取る必要はなく、オペレータに対して原稿照明部306の照射光が眩しくないように、２つ目の制御時に比べ、光量を下げている。すなわちＣＰＵ301は、１つ目の制御では、ＬＥＤアレイブロック702を点灯する際の光量が、２つ目の制御において各ＬＥＤアレイブロック全体を１つの光源として点灯する際の各ＬＥＤブロックの光量よりも小さくなるように制御している。
【００６１】
以下、図８に沿って、実施例１の主走査原稿サイズ検出制御について説明する。
図８は、実施例１の主走査原稿サイズ検出制御の一例を説明するフローチャートである。このフローチャートの処理は、ＣＰＵ301がメモリ302に記憶されたプログラムを読み出して実行することにより実現される。
【００６２】
プラテンカバー102を開いた状態（第１開閉検知センサ107のＯＦＦ状態）になると、ＣＰＵ301は、本フローチャートの処理を開始する。まず、ＣＰＵ301は、第１開閉検知センサ107の状態を監視し、第１開閉検知センサ107がＯＮ状態になるまで待機する（S801）。オペレータがプラテンカバー102を開いた状態から閉じ始めると、第１開閉検知センサ107がフラグ106によって遮光されることによって第１開閉検知センサ107がＯＮ状態になる。ＣＰＵ301は、第１開閉検知センサ107がＯＮ状態になったと判定した場合（S801でYESの場合）、S802に処理を進める。
【００６３】
S802において、ＣＰＵ301は、第１原稿照明部304を予め決められた所定光量で点灯制御する。同時に、S803において、ＣＰＵ301は、光電変換部307を原稿走査モードでＯＮ制御する。
【００６４】
次に、S804において、ＣＰＵ301は、第１原稿照明部304の点灯と光電変換部307による原稿走査の結果に基づいて、プラテンガラス118上に原稿112が載置されているか否かを検出する。図７（ｂ）に示したように、ＣＰＵ301は、第１原稿照明部304の点灯に応じて光電変換部307で走査される走査レベルの最大レベルが原稿判定閾値709より高い場合には、プラテンガラス118上に原稿112が載置されていると判定する。一方、ＣＰＵ301は、走査レベルの最大レベルが原稿判定閾値709より低い場合には、プラテンガラス118上に原稿112が載置されていないと判定する。
【００６５】
ＣＰＵ301は、プラテンガラス118上に原稿112が載置されていないと判定した場合（S804でNOの場合）、S805に処理を進める。
S805において、ＣＰＵ301は、光電変換部307と第１原稿照明部304をＯＦＦ制御し、原稿照明部306の点灯を禁止制御する。続いて、S806において、ＣＰＵ301は、第２開閉検知センサ108がフラグ106によって遮光され（ＯＦＦ状態となり）、プラテンカバー102が閉じられたと判定すると、処理を終了する。すなわち、ＣＰＵ301は、プラテンカバーやＡＤＦの閉じ始めにプラテンガラスに原稿がセットされているか検出し、原稿がセットされていない場合には、主走査原稿サイズ検出処理を実行しないように制御（禁止）する。
【００６６】
上記S804において、ＣＰＵ301は、プラテンガラス118上に原稿112が載置されていると判定した場合（S804でYESの場合）、S807に処理を進める。すなわち、ＣＰＵ301は、プラテンカバーやＡＤＦの閉じ始めにプラテンガラスに原稿がセットされていることを検出した場合、S807以降に示す主走査原稿サイズ検出処理の実行を許可する。
【００６７】
S807において、ＣＰＵ301は、第１原稿照明部304と第２原稿照明部305を同光量の原稿主走査サイズ検出制御時の光量で点灯制御する。これは、図７（ａ）に示した通り、第１原稿照明部304と第２原稿照明部305は原稿照明部306として一つの原稿照明部306として形成されており、ＬＥＤブロック毎に同じ制御回路を構成していることで実現できる。
【００６８】
続いて、S808において、ＣＰＵ301は、画像データサンプリング回路315による演算結果から、原稿主走査幅の検出結果1を算出する。なお、画像データサンプリング回路315は、ラインメモリで構成された加算メモリであり、主走査走査データを所定回数加算平均する機能を有する。また、原稿主走査サイズ検出にて原稿サイズを検出するポイントは、図６で説明した検出ポイント603〜611であり、予め決まった主走査位置のデータである。このため、画像データサンプリング回路315が、この検出位置の走査データを原稿主走査幅の検出結果１として算出し、予め決められた判定用の閾値と比較する。そして、この比較結果に基づいて、ＣＰＵ301が原稿主走査サイズを検出する。
【００６９】
また、上記S808と同時に、ＣＰＵ301は、S809において、第１サイズ検出センサ110と第２サイズ検出センサ111の検出結果（副走査サイズ検出結果）を一時的にメモリ302に記憶する。
【００７０】
次に、S810において、ＣＰＵ301は、第２開閉検知センサ108がＯＮ状態であるか否かを判定する。ＣＰＵ301は、第２開閉検知センサ108がＯＦＦ状態であると判定した場合（S810でNOの場合）、すなわちプラテンカバー102がまだ完全に閉じられていない場合、S815に処理を進める。
【００７１】
S815において、ＣＰＵ301は、第１開閉検知センサ107が遮光された時間が予め決められた時間を超えているか否かを判定する。ＣＰＵ301は、第１開閉検知センサ107が遮光された時間が予め決められた時間を超えていないと判定した場合（S815でNOの場合）、S810に処理を戻す。
【００７２】
一方、S815において、ＣＰＵ301は、第１開閉検知センサ107が遮光された時間が予め決められた時間（所定時間）を超えていると判定した場合（S815でYESの場合）、S816に処理を進める。S816において、ＣＰＵ301は、光電変換部307と原稿照明部306をＯＦＦ制御し、S817において、処理を終了する。
【００７３】
また、上記S810において、ＣＰＵ301は、第２開閉検知センサ108がＯＮ状態であると判定した場合（S810でYESの場合）、すなわち所定時間内にプラテンカバー102が完全に閉じられた場合、S811に処理を進める。
S811において、ＣＰＵ301は、原稿主走査幅の検出結果２を算出し、原稿照明部306をＯＦＦ制御する。検出結果２の算出方法は上述した検出結果１の算出方法と同様である。
【００７４】
なお、原稿112の画像情報によっては、上述した原稿主走査サイズの検出ポイント603〜611の読み取りレベルが予め決められた判定用の閾値を超えない場合があるため、原稿サイズを誤検出しないための方法を以下に補足説明する。原稿がベタ黒原稿のように原稿照明部306の照射光を殆ど反射しない場合に図６で説明した検出ポイント603〜611の読み取りレベルが所望の原稿判定レベル（閾値）より小さくなる場合がある。そのため、プラテンカバー102が開いている時とプラテンカバー102が閉じられた時の２回検出を行い、検出結果１及び検出結果２を算出する。これにより、上述の読み取りレベルが閾値より小さくなる場合があったとしても、プラテンカバー102が閉じた状態であれば、原稿領域外において原稿押圧板103の白レベルを検出でき、原稿主走査サイズを判定することができる。
【００７５】
すなわち、プラテンガラス118上に原稿112がセットされた状態でプラテンカバー102の閉じ始めの状態が検出されると、その状態の各検出ポイント603〜611の読み取りレベルを画像データサンプリング回路315がサンプリングする。画像データサンプリング回路315は、サンプリングした値をメモリ302に記憶しておく。さらに、プラテンカバー102が完全に閉じられた状態が検出されると、その状態の各検出ポイント603〜611の読み取りレベルを画像データサンプリング回路315がサンプリングする。ＣＰＵ301が。このデータと、メモリ302に記憶した閉じ始めに検出したデータを比較することで、レベル変化があったポイントには原稿が載置されていないことを判定でき、原稿主走査サイズを正しく検出することが可能となる。
【００７６】
続いて、S812において、ＣＰＵ301は、上述した通り、画像データサンプリング回路315のデータと、メモリ302に記憶した閉じ始めに検出したデータを比較することで、原稿主走査サイズを決定する。さらに、ＣＰＵ301は、該検出した原稿サイズをメモリ302に一時記憶する。
【００７７】
原稿サイズ検出が完了すると、ＣＰＵ301は、S813において、原稿走査開始位置へキャリッジ109を移動制御し、S814において、スタートボタン406が押されるまで待機状態となる。スタートボタン406が押されと、ＣＰＵ301は、原稿の読み取り処理を開始する（不図示）。
【００７８】
最後に、実施例１のキャリッジ109について説明する。
図９（ａ）は、実施例１のキャリッジ109の構成の一例を説明するための図である。
上述したように、キャリッジ109は、第１原稿照明部304と第２原稿照明部305を独立に点灯制御可能な原稿照明部306を備えている。また、キャリッジ109は、原稿照明部306の照射光を所望の方向へ導く導光体905、反射ミラー906を備えている。反射ミラー906は、片側照明系の場合に主走査位置を挟んで両方向から照射光が当たるように工夫されており、立体物においても影が生じにくい構成となっている。
【００７９】
本実施例によれば、プラテンガラス118上に原稿が載置されていない時、プラテンカバー102等を閉じる際の無意味な原稿照明部306の点灯と主走査サイズ検出を行わないように制御する。例えばコピー終了後にプラテンガラス118上に載置されていた原稿を回収した後等に、次のコピーをとる意思が無いにも関わらず行われていた原稿照明部306の点灯と主走査サイズ検出を行わないように制御する。これにより、無駄な電力消費や原稿照明部の消耗等を抑えることができる。
【実施例２】
【００８０】
実施例１では、原稿照明部306の一部（第１原稿照明部304）を独立に点灯制御して原稿の端部に光を照射して原稿の有無を検出する構成について説明した。本実施例２では、原稿照明部とは別光源の原稿端部照明部を別途設け、該原稿端部照明部により原稿の端部に光を照射して原稿の有無を検出する。以下、詳細に説明する。
【００８１】
まず、図９（ｂ）及び図１４を参照して、実施例２のキャリッジ109の構成を説明する。
図９（ｂ）は、実施例２のキャリッジ109の構成の一例を説明するための図である。
図１４は、実施例２の画像読取装置101の制御構成を説明するためのブロック図である。
実施例２のキャリッジ109は、原稿照明部1401、及び、原稿端部照明部907を搭載している。なお、原稿照明部1401と原稿端部照明部907は、別光源の照明部である。
【００８２】
原稿照明部1401は、図７（ａ）のＬＥＤアレイブロック702のようなＬＥＤアレイブロックを複数シリアルに接続して形成した、原稿主走査方向全域を照明可能な線光源である。原稿照明部1401の点灯制御及び光量制御は、点灯制御回路303を介してＣＰＵ301が行う。点灯制御回路303は、原稿照明部1401のＬＥＤアレイブロック毎に制御回路701のような制御回路を備える。なお、原稿照明部1401と原稿端部照明部907は別光源として構成されているため、原稿照明部1401では、実施例１の原稿照明部306のように一部のＬＥＤブロックを独立に点灯制御可能な構成である必要はない。原稿照明部1401は、一つの原稿照明部として制御可能な1本の線光源として構成されている。
【００８３】
原稿端部照明部907は、ＬＥＤを用いた照明部であり、プラテンガラス118に載置された原稿112の端部（指標板119に当接する原稿112の近傍）に光を照射する。詳細な説明は省略するが、原稿端部照明部907は、図７（ａ）の制御回路701と同様なＬＥＤ制御回路で点灯制御される。原稿端部照明部907の点灯制御及び光量制御は、点灯制御回路303を介してＣＰＵ301が行う。ＣＰＵ301は、第１開閉検知センサ107、第２開閉検知センサ108の検出結果に応じて、点灯制御回路303を用いて原稿端部照明部907及び原稿照明部1401の点灯制御を行う。
【００８４】
キャリッジ109には、原稿反射光をキャリッジ109内部に導入するスリット部が形成されている。原稿端部照明部907は、このスリット部の突き当て位置に配置され、かつ、原稿反射光がスリットに導光されるように斜めに照射光を発するようにセットされている。
原稿端部照明部907は、原稿照明部1401とは、異なる光源の照明部であるため、原稿照明部1401と光量を合わせることは難しい。そのため、ＣＰＵ301は、原稿端部照明部907を独立に点灯制御し、眩しくなく、原稿の有無を検出可能な比較的光量を低く抑えた点灯制御を実行し、原稿の有無の判別制御に用いる。
【００８５】
以下、図１０に沿って、実施例２の主走査原稿サイズ検出制御について説明する。
図１０は、実施例２の主走査原稿サイズ検出制御の一例を説明するフローチャートである。このフローチャートの処理は、ＣＰＵ301がメモリ302に記憶されたプログラムを読み出して実行することにより実現される。
【００８６】
プラテンカバー102を開いた状態（第１開閉検知センサ107のＯＦＦ状態）になると、ＣＰＵ301は、本フローチャートの処理を開始する。まず、S1101は、図８のS801と同一の処理であるので説明を省略する。
S1002において、ＣＰＵ301は、原稿端部照明部907を予め決められた所定光量で点灯制御する。また、S1003は、図８のS803と同一の処理であるので説明を省略する。
【００８７】
次に、S1004において、ＣＰＵ301は、原稿端部照明部907による点灯制御と光電変換部307による原稿走査制御の結果に基づいて、プラテンガラス118上に原稿112が載置されているか否かを検知する。なお、プラテンガラス118上に載置された原稿112の有無を判定する方法は、実施例１と同様である。ＣＰＵ301は、原稿端部照明部907の点灯に応じて光電変換部307で走査される走査レベルの最大レベルが原稿判定閾値より高い場合には、プラテンガラス118上に原稿112が載置されていると判定する。一方、ＣＰＵ301は、走査レベルの最大レベルが原稿判定閾値より低い場合には、プラテンガラス118上に原稿112が載置されていないと判定する。
【００８８】
上記S1004において、ＣＰＵ301は、プラテンガラス118上に原稿112が載置されていないと判定した場合（S1004でNOの場合）、S1005に処理を進める。S1005において、ＣＰＵ301は、光電変換部307と原稿照明部1401及び原稿端部照明部907をＯＦＦ制御し、原稿照明部1401及び原稿端部照明部907の点灯を禁止する。S1006は、図８のS806と同一の処理であるので説明を省略する。
【００８９】
また、上記S1004において、ＣＰＵ301は、プラテンガラス118上に原稿112が載置されていと判定した場合（S1004でYESの場合）、S1007に処理を進める。
S1007において、ＣＰＵ301は、原稿端部照明部907の消灯制御を行い、さらに、原稿照明部1401を原稿主走査サイズ検出制御時の光量で点灯制御する。
【００９０】
続いて、S1008〜S1009、S1010、S1015は、図８のS808〜S809、S810、S815と同一の処理であるので説明を省略する。
S1016において、ＣＰＵ301は、光電変換部307と原稿照明部1401をＯＦＦ制御し、S1017において、処理を終了する。
【００９１】
また、上記S1010において、ＣＰＵ301は、第２開閉検知センサ108がＯＮ状態であると判定した場合（S1010でYESの場合）、すなわちプラテンカバー102が完全に閉じられた場合、S1011に処理を進める。
【００９２】
S1011において、ＣＰＵ301は、原稿主走査幅の検出結果２を算出し、原稿照明部1401をＯＦＦ制御する。検出結果２の算出方法は実施例１と同様である。
続いて、S1012〜S1014は、図８のS812〜S814と同一の処理であるので説明を省略する。
【００９３】
本実施例によれば、プラテンガラス118上に原稿が載置されていない時、プラテンカバー102等を閉じる際の無意味な原稿照明部の点灯と主走査サイズ検出を行わないように制御することにより、無駄な電力消費や原稿照明部の消耗等を抑えることができる。
【実施例３】
【００９４】
上述したように、画像読み取り装置101では、プラテンカバー102の閉じ始めを検出した際、原稿サイズ検出処理を実行する前に、プラテンガラス118上の原稿112の有無を検出している。これは、原稿112が載置されていない時に不必要な原稿照明部の点灯及び原稿主走査サイズ検出を行わないためである。実施例１及び２では、原稿の有無を検出するため、図６に示した原稿の有無を検出する検出ポイント603近傍を光源によって照明し、その原稿反射光を光電変換部307で走査することで、原稿112が載置されているかどうか判定する構成であった。実施例３では、原稿を光源で照明することなく原稿112の有無を検出する。このため、実施例３では、従来から原稿副走査サイズ検出センサとして用いていた反射型のセンサを短焦点化して、キャリッジ109に搭載し、このセンサを用いて原稿の有無を検出する。
【００９５】
以下、図９（ｃ）及び図１５を参照して、実施例３のキャリッジ109の構成を説明する。
図９（ｃ）は、実施例３のキャリッジ109の構成の一例を説明するための図である。
図１５は、実施例３の画像読取装置101の制御構成を説明するためのブロック図である。
実施例３のキャリッジ109は、原稿照明部1401、及び、原稿検出部904を搭載している。原稿検出部904は、原稿の有無を直接判定可能な例えば反射型のセンサであり、この点が実施例１、実施例２の構成と異なる。
【００９６】
原稿検出部904は、プラテンガラス118上に配置された指標板119に当接する状態で載置された原稿112に対して、該当接位置の近傍の一部領域（603に対応）に載置された原稿の有無を検出可能なように、キャリッジ109内に配置される。例えば、原稿検出部904は、原稿反射光を受光した場合（原稿検出時）には「Ｌ」を出力し、原稿反射光を受光しない場合（原稿非検出時）には「Ｈ」を出力する。ＣＰＵ301は原稿検出部904を直接制御し、原稿検出部904の検出結果もＣＰＵ301のＩ／Ｏで直接取得する。
【００９７】
以下、図１１に沿って、実施例３の主走査原稿サイズ検出制御について説明する。
図１１は、実施例３の主走査原稿サイズ検出制御の一例を説明するフローチャートである。このフローチャートの処理は、ＣＰＵ301がメモリ302に記憶されたプログラムを読み出して実行することにより実現される。
【００９８】
プラテンカバー102を開いた状態（第１開閉検知センサ107のＯＦＦ状態）になると、ＣＰＵ301は、本フローチャートの処理を開始する。まず、S1101は、図１０のS1001と同一の処理であるので説明を省略する。
S1102において、ＣＰＵ301は、原稿検出部904をＯＮし、原稿検出制御を開始する。また、S1103は、図１０のS1003と同一の処理であるので説明を省略する。
【００９９】
次に、S1104において、ＣＰＵ301は、原稿検出部904の原稿検出結果に基づいて、プラテンガラス118上に原稿112が載置されているか否かを判定する。ＣＰＵ301は、プラテンガラス118上に原稿112が載置されていないと判定した場合（S1104でNOの場合）、S1105に処理を進める。S1105において、ＣＰＵ301は、光電変換部307と原稿照明部1401及び原稿検出部904をＯＦＦ制御し、原稿照明部1401の点灯を禁止する。S1106は、図１０のS1006と同一の処理であるので説明を省略する。
【０１００】
また、上記S1104において、ＣＰＵ301は、プラテンガラス118上に原稿112が載置されていると判定した場合（S1104でYESの場合）、S1107に処理を進める。
S1107において、ＣＰＵ301は、原稿検出部904のＯＦＦ制御を行う。さらに、ＣＰＵ301は、原稿照明部1401を原稿主走査サイズ検出制御時の光量で点灯制御する。なお、原稿検出部904をＯＦＦする理由は、原稿検出部904として反射型センサを前提としているため、反射型センサの検出光が原稿走査に影響を及ぼさないようにするためである。
続いてS1108〜S1117は、図１０のS1008〜S1017と同一の処理であるので説明を省略する。
【０１０１】
なお、画像走査時に原稿検出部904の発行の影響が原稿走査画像に影響を及ぼさないようにするため、ＣＰＵ301は、原稿走査中は原稿検出部904の動作を停止するように制御する。
【０１０２】
本実施例によれば、プラテンガラス118上に原稿が載置されていない時、プラテンカバー102等を閉じる際の無意味な原稿照明部の点灯と主走査サイズ検出を行わないように制御することにより、無駄な電力消費や原稿照明部の消耗等を抑えることができる。
【実施例４】
【０１０３】
上述した実施例３の制御構成を変更した例を実施例４として示す。
実施例４では、原稿走査時以外のスタンバイ状態において、原稿検出部904に周期的な制御（原稿検出部904に供給する電源のパルス給電制御）を行う。
図１３は、実施例４における原稿検出部904の制御構成の一例を説明するための図である。
【０１０４】
図１３示すように、ＣＰＵ301は、パルス制御信号1304を用い、ＦＥＴ（Field Effect Transistor）で構成するＶｃｃスイッチ回路1305を制御し、原稿検出部904に供給するＶｃｃを1301のような供給電圧とする。これにより、原稿検出部904を常時給電状態とする構成に対し、原稿検出部904の発光素子の劣化を抑止でき、かつスタンバイ中の電力を低減することも可能となる。
【０１０５】
原稿検出部904がプラテンガラス118上に載置された原稿112を検出できない時、原稿検出部904の出力は、1302に示すように、Ｖｃｃ1301にＰＵＬＬ−ＵＰされており、変化しない。なお、原稿検出部904がプラテンガラス118上に載置された原稿112を検出できない場合とは、原稿112が原稿を指標板119に当接するように載置されていない場合、若しくは、原稿112が載置されていない場合である。
【０１０６】
図１３では図示しないが、原稿検出部904の上にプラテンガラス118が配置され、その上に原稿112が載置される。原稿検出部904は、プラテンガラス118上に載置された原稿112を検出した際には、1303に示すように、Ｖｃｃが「Ｈ」区間において、原稿112を検出して出力が「Ｌ」に変化する。これにより、オペレータによって、プラテンガラス118上に原稿112が載置された場合には、プラテンカバー102の開閉制御を行うことなく、原稿112の載置を検出することが可能となる。
【０１０７】
以下、図１２に沿って、実施例４の主走査原稿サイズ検出制御について説明する。
図１２は、実施例４の主走査原稿サイズ検出制御の一例を説明するフローチャートである。このフローチャートの処理は、ＣＰＵ301がメモリ302に記憶されたプログラムを読み出して実行することにより実現される。
【０１０８】
画像読取装置101がスタンバイ状態になると、ＣＰＵ301は、本フローチャートの処理を開始する。まずS1201において、ＣＰＵ301は、原稿検出部904のパルス制御を開始する。ＣＰＵ301は、スタンバイ状態で常時、原稿検出部904を間欠制御する。これにより、原稿検出部904は、常時間欠的にＯＮ／ＯＦＦを繰り返し、オペレータがプラテンガラス118上に原稿を載置することで、プラテンカバー102の開閉とは無関係に原稿112を検出する。
【０１０９】
次に、S1202において、ＣＰＵ301は、プラテンカバー102の状態に関わらず、プラテンガラス118上に原稿112が載置（セット）されたか否かを判定する。そして、ＣＰＵ301は、原稿112が載置されていないと判定した場合（S1202でNOの場合）、S1203に処理を進める。S1203において、ＣＰＵ301は、原稿照明部1401の点灯と原稿主走査サイズ検出を禁止制御し、S1202に処理を戻す。
【０１１０】
また、上記S1202において、ＣＰＵ301は、プラテンガラス118上に原稿112が載置されたと判定した場合（S1202でYESの場合）、S1204に処理を進める。
S1204において、ＣＰＵ301は、第１開閉検知センサ107がフラグ106によって遮光されるまで待機する。第１開閉検知センサ107がフラグ106によって遮光されると、ＣＰＵ301は、第１開閉検知センサ107出力をトリガとし、第１開閉検知センサ107がフラグ106によって遮光されたと判定し（S1204でYES）、S1205に処理を進める。
【０１１１】
S1205において、ＣＰＵ301は、光電変換部307を原稿走査モードでＯＮ制御し、S1206に処理を進める。
S1206において、ＣＰＵ301は、原稿照明部1401を原稿主走査サイズ検出制御時の光量で点灯制御する。さらに、ＣＰＵ301は、画像データサンプリング回路315による演算結果から、原稿主走査幅の検出結果1を算出する。S1207〜S1215は、図１１のS1109〜S1117と同一の処理であるので説明を省略する。
【０１１２】
本実施例によれば、プラテンガラス118上に原稿が載置されていない時の無意味な原稿照明部の点灯と主走査サイズ検出を行わないように制御することにより、無駄な電力消費や原稿照明部の消耗等を抑えることができる。
【０１１３】
なお、画像読取装置101は、画像形成装置に含まれるものでもよい。例えば、画像読取装置101を用いて原稿を走査し、該走査イメージを、インクやトナー等の記録剤を用いて用紙（シート）に記録する画像形成装置（複合機等）であってもよい。
【０１１４】
以上のように、各実施例によれば、プラテンガラス上に原稿が載置されていない状態での無駄な原稿サイズ検出動作を抑えることができ、その結果、無駄な電力消費や原稿照明部の消耗を抑えることができる。
【０１１５】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１１６】
（その他の実施例）
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路（例えば、ＡＳＩＣ）によっても実現可能である。
また、本発明は、複数の機器から構成されるシステムに適用しても、1つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１７】
101    画像読取装置
102    プラテンカバー
109    キャリッジ
112    原稿
118    プラテンガラス
301    ＣＰＵ
304    第１原稿照明部
305    第２原稿照明部
306    原稿照明部
【図１】
2018170669.tif 000004
【図２】
2018170669.tif 000005
【図３】
2018170669.tif 000006
【図４】
2018170669.tif 000007
【図５】
2018170669.tif 000008
【図６】
2018170669.tif 000009
【図７】
2018170669.tif 000010
【図８】
2018170669.tif 000011
【図９】
2018170669.tif 000012
【図１０】
2018170669.tif 000013
【図１１】
2018170669.tif 000014
【図１２】
2018170669.tif 000015
【図１３】
2018170669.tif 000016
【図１４】
2018170669.tif 000017
【図１５】
2018170669.tif 000018